(57)【要約】【課題】  導電性の筐体による通信障害を簡単かつ安価な構成で解消するとともに、開口部からの塵埃や小動物の侵入を最小限に抑える。【解決手段】  キャビネット１は導電性の筺体２を備え、筺体２の機器収納室３に各種電気機器と無線送受信ユニット６を設置する。無線送受信ユニット６は電気機器の動作情報を収集し、空中線７を介して外部ユニット５と通信する。空中線７を筐体２の上端面に設置し、通信線１０で無線送受信ユニット６に接続する。空中線７の周囲に柵壁８を立設し、柵壁８に水平方向に長いスリット９を垂直方向に複数本形成する。外部ユニット５が発信した電波をスリット９で回折させて空中線７に指向させ、空中線７が放射した電波をスリット９で回折させて外部ユニット５に指向させる。【選択図】        図２
2013207649.tif 000002
【特許請求の範囲】
【請求項１】
電気機器を収納する導電性の筺体の内側に無線送受信ユニットを設置し、筺体の上端部に、無線送受信ユニットと外部ユニットとの間で電波を中継する空中線を設置し、空中線の周囲に、外部ユニットと空中線との間で電波を回折させるスリットを形成したことを特徴とするキャビネット。
【請求項２】
前記スリットを水平方向に長く形成し、垂直方向に複数本配列した請求項１記載のキャビネット。
【請求項３】
前記空中線を筺体の上端面に設置し、空中線の周囲に柵壁を立設し、柵壁に前記スリットを形成した請求項２記載のキャビネット。
【請求項４】
前記筺体の上端部内側に前記空中線を設置し、空中線を取り囲む周壁に前記スリットを通気口として開口するように形成した請求項２記載のキャビネット。
【発明の詳細な説明】
【技術分野】
【０００１】
本発明は、筺体内外の無線送受信ユニットの間で電波を中継する空中線を備えた導電性キャビネットに関する。
【背景技術】
【０００２】
従来、筐体内部に収納した電気機器の動作情報を無線で外部と通信する機能を備えたキャビネットが知られている。この種のキャビネットは、内部機器を保護するために筺体が導電性材料で形成され、電気的に接地されているので、外部ユニットの位置によっては内部ユニットとの通信に障害を来たすことがある。そこで、特許文献１では、電波を中継する支柱一体型の空中線を筺体の外面に高く突出するように立設したキャビネットが提案されている。
【０００３】
しかし、支柱一体型の空中線は、キャビネットの外観を損なうばかりでなく、設置費用が高くつく不都合がある。こうした不都合を解消するために、特許文献２では、図５に示すように、シールド鋼板からなる筺体５１の稜線５２にコ字形の金属線５３を架設して、高アスペクト比の閉回路を形成し、筐体５１の複数の稜線部をアンテナとして機能させ、制御回路によって最適感度のアンテナを選定できるように構成したキャビネット５４が提案されている。
【先行技術文献】
【特許文献】
【０００４】
【特許文献１】特開平０８−３１６７１３号公報
【特許文献２】特開平０６−２６８４２３号公報
【発明の概要】
【発明が解決しようとする課題】
【０００５】
ところが、従来のキャビネットによると、通信障害を回避するために、筺体の複数箇所に空中線を設ける必要があった。このため、最適な一つの空中線を選択するための制御回路を設ける必要があり、空中線の設置コストが高くつくという問題点があった。また、空中線を筐体内部の無線送受信ユニットに接続するために、筺体の複数個所に通信線を通すための開口部を明ける必要があり、これらの開口部から塵埃や小動物が筐体内部に侵入しやすくなるという不都合もあった。
【０００６】
本発明の目的は、筐体内外の通信障害を簡単かつ安価な構成で解消できるとともに、開口部からの塵埃や小動物の侵入を最小限に抑制できるキャビネットを提供することにある。
【課題を解決するための手段】
【０００７】
上記課題を解決するために、本発明は次のようなキャビネットを提供する。
（１）電気機器を収納する導電性の筺体の内側に無線送受信ユニットを設置し、筺体の上端部に、無線送受信ユニットと外部ユニットとの間で電波を中継する空中線を設置し、空中線の周囲に、外部ユニットと空中線との間で電波を回折させるスリットを形成したことを特徴とするキャビネット。
【０００８】
（２）スリットを水平方向に長く形成し、垂直方向に複数本配列したことを特徴とするキャビネット。
【０００９】
（３）空中線を筺体の上端面に設置し、空中線の周囲に柵壁を立設し、柵壁に水平方向に長いスリットを垂直方向に複数本形成したことを特徴とするキャビネット。
【００１０】
（４）筺体の上端部内側に空中線を設置し、空中線を取り囲む周壁に水平方向に長く垂直方向に複数本のスリットを通気口として開口するように形成したことを特徴とするキャビネット。
【発明の効果】
【００１１】
本発明のキャビネットによれば、筺体の上端部に設置された空中線の周囲にスリットを形成したので、筐体周りの何れの方位から発信された電波もスリットで回折させて空中線に指向させることができる。このため、空中線を増設することなく、導電性の筐体による通信障害を簡単かつ安価な構成で解消できるとともに、通線用開口部からの塵埃や小動物の侵入を最小限に抑えることができるという効果がある。
【図面の簡単な説明】
【００１２】
【図１】本発明の実施例１を示すキャビネットの斜視図である。
【図２】図１のキャビネットの側面図である。
【図３】本発明の実施例２を示すキャビネットの斜視図である。
【図４】図３のキャビネットの側面図である。
【図５】従来のキャビネットの空中線を示す斜視図である。
【発明を実施するための形態】
【００１３】
以下、本発明の実施形態を図面に基づいて説明する。図１、２は、空中線７が筐体２の上端面に設置された実施例１のキュービクル１を示す。図３、図４は、空中線７が筐体の上端部内側に設置された実施例２のキュービクル１１を示す。各図において、同一の符号は同一または類似する部材を示す。
【実施例１】
【００１４】
図１、図２に示すように、実施例１のキャビネット１は導電性の筺体２を備え、筺体２の内側に機器収納室３が形成され、筐体２の前面に扉４が設けられている。機器収納室３には、各種の電気機器（図示略）が収納されるとともに、電気機器の動作情報を外部ユニット５と交信するための無線送受信ユニット６が設置されている。
【００１５】
筺体２の上端面には電波を中継する空中線７が設置され、通信線１０によって無線送受信ユニット６に接続されている。空中線７の周囲には４枚の柵壁８が立設され、各柵壁８に水平方向に長いスリット９が垂直方向に複数本形成されている。そして、スリット９により外部ユニット５と空中線７との間で電波を回折させ、外部ユニット５が発信した電波を空中線７に指向させ、空中線７が放射した電波を外部ユニット５に指向させるようになっている。
【実施例２】
【００１６】
図３、図４に示すように、実施例２のキャビネット１１では、筺体２の上端部内側に空中線７が設置され、空中線７を取り囲む４枚の周壁１３に通気口または換気口として機能するスリット９が水平方向に長く垂直方向に複数本形成されている。そして、実施例１と同様に、筐体２の上端部において空中線７が電波を中継し、スリット９が電波を回折させるようになっている。
【００１７】
この実施形態のキャビネット１，１１によれば、次のような作用効果が得られる。
（ａ）外部ユニット５が筺体２の周囲でどの方位から電波を飛ばした場合でも、その電波をスリット９が筐体２の中心軸線側へ回折させて空中線７に指向させるため、１本の空中線７により電気機器の動作情報を導電性筐体２の内外で的確に交信できる。
（ｂ）このため、空中線７を増設する必要がなく、無線通信機能を装備したキャビネット１を簡単かつ安価に構成できる。
（ｃ）また、通信線１０を通すための開口部（図示略）が一つで済むため、機器収納室３への塵埃や小動物の侵入を最小限に抑えることもできる。
【００１８】
（ｄ）スリット９により回折された電波は電界強度が弱くなるので、無線通信機能を備えた複数台のキャビネットが並設された設備において混信の可能性を減らすことができる。
（ｅ）実施例１のキャビネット１の場合は、特に、空中線７を包囲する柵壁８にスリット９を形成したので、空中線７を外部から見えなくし、キャビネット１の外観を見栄えよくすることができる。
（ｆ）実施例２のキャビネット１１の場合は、特に、空中線７を筐体２の内側に収め、空中線７を取り囲む周壁２３のスリット９を通気口または換気口としても利用できるという利点がある。
【００１９】
なお、本発明は、屋内外に設置される各種のキャビネット、例えば、環境監視機器を収納するキャビネット、サーバー機器を収納するキャビネットラック、送電・受電機器を収納するキュービクル型キャビネットなどに適用できる。また、キャビネットの用途に応じて空中線の種類やスリットの形状を変更するなど、本発明の趣旨を逸脱しない範囲で、各部の構成を適宜に変更して実施することも可能である。
【符号の説明】
【００２０】
１    キャビネット（実施例１）
２    筺体
５    外部ユニット
６    送受信ユニット
７    空中線
８    柵壁
９    スリット
１０    通信線
１１    キャビネット（実施例２）
１３    周壁
【図１】
2013207649.tif 000003
【図２】
2013207649.tif 000004
【図３】
2013207649.tif 000005
【図４】
2013207649.tif 000006
【図５】
2013207649.tif 000007